(57)【要約】【課題】釣り針を引き抜く際、外した釣り針が、再び魚の体内等でひっかかることを防ぐ。【解決手段】釣り針６を締結した釣り糸７を遊挿可能な釣り針カバー１を有し、釣り針カバー１は、少なくとも一部は屈曲自在であり、釣り糸７を遊挿した状態で、釣り針方向に押し込むことで前記釣り針の全体を覆うように嵌め込む。【選択図】図１
2008054527.tif 000002
【特許請求の範囲】
【請求項１】
釣り針を締結した釣り糸を遊挿可能な釣り針カバーを有し、
前記釣り針カバーは、
少なくとも一部は屈曲自在であり、
前記釣り糸を遊挿した状態で、釣り針方向に押し込むことで前記釣り針の全体を覆うように嵌め込むことが可能であることを特徴とする釣り針はずし具。
【請求項２】
前記釣り針カバーは、
弾性板が、略円筒の形状で断面が渦巻き状となるように形成されたものであることを特徴とする請求項１に記載の釣り針はずし具。
【請求項３】
硬質の棒状である押し込み棒をさらに備え、
前記押し込み棒は、
前記釣り針カバーに遊挿される前記釣り糸の方向と、前記押し込み棒の長手方向とが略同方向になるように、前記押し込み棒の前記釣り針方向の端部が、前記釣り針カバーの釣り針方向と反対の方向の端部に接着されていることを特徴とする請求項１又は２に記載の釣り針はずし具。
【請求項４】
前記釣り針カバーは、
前記押し込み棒が接着されている部分、又は前記押し込み棒が接着されている部分を含む前記釣り針カバーの端部が、硬質を有していることを特徴とする請求項３に記載の釣り針はずし具。
【請求項５】
前記押し込み棒を長手方向に摺動可能に嵌め込むことができるスライド支持板と、
前記スライド支持板を前記釣り糸に固定可能な固定具を有することを特徴とする請求項３又は４に記載の釣り針はずし具。
【発明の詳細な説明】
【技術分野】
【０００１】
本発明は、魚の口にのみ込まれた釣り針を取り出すための釣り針はずし具に関するものである。
【背景技術】
【０００２】
従来、魚の口の奥深くに刺さった釣り針を取り出すための釣り針はずし具として、例えば特許文献１に記載のものがある。特許文献１に記載の釣り針はずし具は、釣り針にパイプを取り付け、パイプを回転させることで、釣り針を魚から抜くと同時に釣り針を刺さっていた方向とは逆の方向に向ける。これにより、釣り針を魚の口の奥から引き抜き易くしている。
【０００３】
【特許文献１】特開特開２００４−２４８６４７号公報
【発明の開示】
【発明が解決しようとする課題】
【０００４】
特許文献１における釣り針はずし具において、釣り針を魚から引き抜く際、釣り針は逆方向に向けられ、引き抜き易くなっているが、釣り針はむき出しの状態であり、釣り針が変形してしまった等の場合、釣り針は再び魚等に刺さってしまう問題点があった。また、釣竿と特許文献１における釣り針はずし具を持ち替え、さらに、釣り糸にパイプを通す必要があったため、時間がかかってしまっていた。
【０００５】
本発明の目的は、上記問題点を鑑み、外した釣り針が、再び魚の体内等でひっかかることを防ぎ、すばやく釣り針を引き抜くことができる釣り針はずし具を提供することである。
【課題を解決するための手段及び効果】
【０００６】
上記目的を達成するために、本発明は、釣り針を締結した釣り糸を遊挿可能な釣り針カバーを有し、前記釣り針カバーは、少なくとも一部は屈曲自在であり、前記釣り糸を遊挿した状態で、釣り針方向に押し込むことで前記釣り針の全体を覆うように嵌め込むことが可能にされている。
【０００７】
上記構成によれば、釣り針にひっかかった魚等から釣り針を抜き取る際、釣り針カバーを押し込むことで、釣り針全体を釣り針カバーで覆ってしまう。これにより、魚等にひっかかっている釣り針の周囲に釣り針カバーがあてがわれ、あてがわれた箇所を支点として、釣り針を抜くことができる場合がある。さらに、魚等から釣り針を抜いた後、釣り針全体を釣り針カバーで覆ってしまうため、釣り針が再び魚等にひっかかるのを防ぐことができる場合がある。
【０００８】
また、本発明は、前記釣り針カバーは、弾性板が、略円筒の形状で断面が渦巻き状となるように形成されていてもよい。
【０００９】
上記の構成によれば、釣り針カバーを釣具に装着する際、釣り針カバーの断面は渦巻き状を呈しているため、釣り糸から釣り針をはずし、釣り糸を釣り針カバーの片端からもう片端に通すことなく、釣り針カバーの開いている部分より釣り糸を巻き込むように装着することができる。これより、釣り糸から釣り針をはずすことなく、釣り針カバーを装着することができる場合がある。
【００１０】
さらに、本発明は、硬質の棒状である押し込み棒をさらに備え、前記押し込み棒は、前記釣り針カバーに遊挿される前記釣り糸の方向と、前記押し込み棒の長手方向とが略同方向になるように、前記押し込み棒の前記釣り針方向の端部が、前記釣り針カバーの釣り針方向と反対の方向の端部に接着されていてもよい。
【００１１】
上記の構成によれば、押し込み棒が釣り針カバーに接着されているため、より離れたところからの操作が可能になる場合がある。例えば、釣り針が魚等の口の奥深くでひっかかっている場合、押し込み棒を押し込むだけで簡単に釣り針から魚等を外すことができる場合がある。
【００１２】
さらに、本発明は、前記釣り針カバーは、前記押し込み棒が接着されている部分、又は前記押し込み棒が接着されている部分を含む前記釣り針カバーの端部が、硬質を有していてもよい。
【００１３】
上記の構成によれば、釣り針カバーの一部が硬質な素材で形成されているため、この釣り針はずし具の強度を増すことができる場合がある。
【００１４】
さらに、本発明は、前記押し込み棒を長手方向に摺動可能に嵌め込むことができるスライド支持板と、前記スライド支持板を前記釣り糸に固定可能な固定具を有していてもよい。
【００１５】
上記の構成によれば、スライド支持板及び固定具をさらに備えることで、この釣り針はずし具を簡単に操作できるようになる場合がある。例えば、スライド支持板を固定具により、釣り糸に固定することで、釣具を持ったままもう片方の手のみでこの釣り針はずし具を操作できる場合がある。
【発明を実施するための最良の形態】
【００１６】
本発明の実施の形態を図１ないし図４に基づいて以下に説明する。
【００１７】
（釣り針はずし具１の構成）
まず、図１に示すように、釣り針はずし具１は、釣り針カバー２、押し込み棒３、スライド支持板４、及び固定具５を有している。そして、釣り針はずし具１は、釣り針６の結び付けられた釣り糸７に装着される。そのとき、釣り針はずし具１は、長手方向が釣り糸７に沿って、釣り針６の近傍に、装着される。
【００１８】
釣り針カバー２は、略円筒の形状であるが、円筒の断面は渦巻き状になっている。つまり、釣り針カバー２は、弾性を持ったゴム素材からなる平面板が巻かれて形成されている。また、釣り針カバー２は、弾性を持ったゴム素材からなっているため、屈曲自在であり、屈曲しても元の円筒状に戻るようになっている。この釣り針カバー２は、釣り針６の近傍に位置するように装着される。
【００１９】
押し込み棒３は、図１に示すように、断面が一方向に突出した略凸型の棒であり、硬質の素材で形成されている。押し込み棒３は、一端が、釣り針カバー２の端部の外周面に接着され、釣り針カバー２と押し込み棒３とが略一直線上に位置するようになっている。なお、押し込み棒３は、突出部分が釣り針カバー２と反対方向に位置するように、釣り針カバー２に接着されている。
【００２０】
スライド支持板４は、硬質の素材からなる棒である。また、図１に示すように、スライド支持板４は、両端部及び側面の一つが開放された直方体で、かつ、その側面の開放部分を形成する面が内側に折れ曲がるように形成されており、断面が押し込み棒３と係合する形を形成している。従って、押し込み棒３が、スライド支持板４に挿入できるようになっており、押し込み棒３を挿入したとき、スライド支持板４が押し込み棒を挟み込むようになる。これにより、スライド支持板４に挿入した押し込み棒３は長手方向にのみ摺動可能になっている。また、スライド支持板４の長手方向の長さは、押し込み棒３より短くなっている。
【００２１】
固定具５は、略直方体であり、スライド支持板４の中央に形成されている。図示しないヒンジでスライド支持板４と固定されており、釣り糸を挟み込むことで固定することができるようになっている。
【００２２】
次に、図２（ａ）（ｂ）を参照して、上記の構成における釣り針はずし具１の、釣り針６を結び付けた釣り糸７への装着方法を説明する。
【００２３】
釣り針はずし具１は、図２（ａ）に示すように、釣り針６の近傍に、釣り糸７に沿って装着される。釣り針はずし具１における釣り針カバー２は上記したように断面が渦巻き状を有しているため（図１参照）、その隙間から釣り糸７を通すことで、釣り糸７を釣り針カバー２に遊挿できる。そのとき、釣り針カバー２が、釣り針６近傍に位置し、押し込み棒３やスライド支持板４が釣り針６と反対方向に位置するように遊挿される。
【００２４】
次に、固定具５に釣り糸７を固定する。固定具５は上記した図示しないヒンジを有しているため、そのヒンジで釣り糸７を挟み込むことで固定される。そのとき、釣り針はずし具１の釣り針６方向の先端である釣り針カバー２が、釣り針６の近傍に位置するように固定される。
【００２５】
上記のように、釣り糸７に固定された釣り針はずし具１において、スライド支持板４に嵌め込まれた押し込み棒３を釣り針６方向に摺動させることで、釣りカバー２が釣り針６方向に押し出され、図２（ｂ）に示すように、釣り針カバー２が釣り針６の全体を覆うように嵌め込まれる。
【００２６】
（釣り針はずし具１の動作）
次に、図３を参照して、上記の構成における釣り針はずし具１の動作について説明する。
【００２７】
図３（ａ）は、魚８の口の奥に釣り針６が刺さっている状態を示す図である。釣り糸７には、上記した装着方法で、予め釣り針はずし具１が装着されている。
【００２８】
次に、固定具５を支点にし、押し込み棒３をスライド支持板から押し出すように、釣り針６方向へ摺動させる。そして、押し込み棒３が摺動すると共に、釣り針カバー２は釣り針６方向へ移動し、釣り針６は釣り針カバー２に覆われるように嵌め込まれていく。すると、図３（ｂ）に示すように、釣り針カバー２の釣り針６方向の先端部が、釣り針６が魚８の口の奥に刺さっている部分に当接する。
【００２９】
次に、釣り針はずし具１全体を釣り針６の形状に合わせ、釣り針６と逆方向が上方に来るように傾ける。さらに、押し込み棒３を釣り針６方向に摺動させつつ、釣り針はずし具１全体を釣り針６の方向へ押し込む。これにより、釣り針６は魚８から抜かれていくと共に、釣り針カバー２に嵌め込まれていく。最終的に、図３（ｃ）に示すように、釣り針６が完全に魚８から抜かれると共に、釣り針６全体が、釣り針カバー２に嵌め込まれる。
【００３０】
釣り針６を魚８の口の奥から取り出す際、釣り針６は全体を釣り針カバー２に覆われているため、釣り針６の先端の尖った部分が再び魚８に刺さってしまうことを防ぐことができる。
（本実施形態の概要）
以上、説明したように、本実施の形態は、釣り針（釣り針６）を締結した釣り糸（釣り糸７）を遊挿可能な釣り針カバー（釣り針カバー２）を有し、釣り針カバーは、少なくとも一部は屈曲自在であり、釣り糸を遊挿した状態で、釣り針方向に押し込むことで釣り針の全体を覆うように嵌め込むことが可能であるように構成されている。
【００３１】
この構成によると、釣り針にひっかかった魚等から釣り針を抜き取る際、釣り針カバーを押し込むことで、釣り針全体を釣り針カバーで覆ってしまう。これにより、魚等にひっかかっている釣り針の周囲に釣り針カバーがあてがわれ、あてがわれた箇所を支点として、釣り針を抜くことができる場合がある。さらに、魚等から釣り針を抜いた後、釣り針全体を釣り針カバーで覆ってしまうため、釣り針が再び魚等にひっかかるのを防ぐことができる場合がある。
【００３２】
また、本実施の形態は、釣り針カバーは、弾性板が、略円筒の形状で断面が渦巻き状となるように形成されたものであるように構成されている。
【００３３】
この構成によると、釣り針カバーを釣具に装着する際、釣り針カバーの断面は渦巻き状を呈しているため、釣り糸から釣り針をはずし、釣り糸を釣り針カバーの片端からもう片端に通すことなく、釣り針カバーの開いている部分より釣り糸を巻き込むように装着することができる。これより、釣り糸から釣り針をはずすことなく、釣り針カバーを装着することができる場合がある。
【００３４】
さらに、本実施の形態は、硬質の棒状である押し込み棒（押し込み棒３）をさらに備え、押し込み棒は、釣り針カバーに遊挿される釣り糸の方向と、押し込み棒の長手方向とが略同方向になるように、押し込み棒の釣り針方向の端部が、釣り針カバーの釣り針方向と反対の方向の端部に接着される構成にされている。
【００３５】
この構成によると、押し込み棒が釣り針カバーに接着されているため、より離れたところからの操作が可能になる場合がある。例えば、釣り針が魚等の口の奥深くでひっかかっている場合、押し込み棒を押し込むだけで簡単に釣り針から魚等を外すことができる場合がある。
【００３６】
さらに、本実施の形態は、釣り針カバーは、押し込み棒が接着されている部分、又は押し込み棒が接着されている部分を含む釣り針カバーの端部が、硬質を有している構成にされている。
【００３７】
この構成によると、釣り針カバーの一部が硬質な素材で形成されているため、この釣り針はずし具の強度を増すことができる場合がある。
【００３８】
さらに、本実施の形態は、押し込み棒を長手方向に摺動可能に嵌め込むことができるスライド支持板（スライド支持板４）と、スライド支持板を釣り糸に固定可能な固定具（固定具５）を有する構成にされている。
【００３９】
この構成によると、スライド支持板及び固定具をさらに備えることで、この釣り針はずし具を簡単に操作できるようになる場合がある。例えば、スライド支持板を固定具により、釣り糸に固定することで、釣具を持ったままもう片方の手のみでこの釣り針はずし具を操作できる場合がある。
【００４０】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００４１】
例えば、上述の実施の形態では、釣り針カバー２は、全体が弾性を有する素材で形成されていたが、これに限定されない。例えば、図４に示すように、押し込み棒３と接着する部分を含む釣り針カバー２の端部２ａが、硬質を有する素材で形成されており、釣り針カバー２の強度を増す効果を有するものでもよい。
【００４２】
また、上述の実施の形態では、押し込み棒３が釣り針カバー２の外周面に接着されていたが、これに限定されない。例えば、押し込み棒３が釣り針カバー２の内側の面に接着されていてもよい。
【図面の簡単な説明】
【００４３】
【図１】実施例の釣り針はずし具の斜視図。
【図２】（ａ）実施例の釣り針はずし具を釣り糸に装着した状態を示す図。（ｂ）実施例の釣り針はずし具の釣り針カバーで釣り針を覆った状態を示す図。
【図３】（ａ）魚の口の奥に釣り針が刺さっている状態を示す図（ｂ）釣り針が魚の口の奥に刺さっている部分に、釣り針カバーが当接している状態を示す図（ｃ）釣り針が魚の口の奥より抜かれると共に、釣り針全体が釣り針カバーに嵌め込まれた状態を示す図。
【図４】本発明の変形例を示す斜視図。
【符号の説明】
【００４４】
１  釣り針はずし具
２  釣り針カバー
３  押し込み棒
４  スライド支持板
５  固定具
６  釣り針
７  釣り糸
８  魚
【図１】
2008054527.tif 000003
【図２】
2008054527.tif 000004
【図３】
2008054527.tif 000005
【図４】
2008054527.tif 000006